(57)【要約】【課題】回転ヘッドシリンダにテープを所定の角度、巻回して、信号の記録再生を行う磁気記録再生装置において、往復移動するサブシャーシとサブシャーシを案内するメインシャーシを備えていて、カセット内よりテープを引き出す機構を簡略化し、部品点数の削減、コストダウン、メカニズムの小型化、性能の向上を実現する事を目的とする。【解決手段】カセット内よりテープを引き出す複数のテープ引き出し部材をすべてサブシャーシの上に搭載させ、またサブシャーシのメインシャーシに対する動きによりテープ引き出し部材を駆動することにより、駆動力の流れを一本化し、機構の簡略化、部品点数の削減を実現する。【選択図】  図２
2004288235.tif 000002
【特許請求の範囲】
【請求項１】
テープカセット内から複数のテープ引き出し部材によりテープを引き出し、回転ヘッドを搭載するシリンダに巻回し前記テープを走行させる事により記録再生を行う磁気記録再生装置で、前記回転ヘッドシリンダが搭載されるメインシャーシと、前記メインシャーシ上にあり前記メインシャーシに対し相対的にスライド可能で前記テープカセットが装着されるサブシャーシがあって、
前記サブシャーシに前記テープカセットを装着しうる位置をテープ装着位置、
前記テープカセットからテープを引き出し前記回転ヘッドシリンダに巻回し磁気記録再生を行う事のできる位置をテープ引き出し位置とし、前記サブシャーシは前記カセット装着位置と前記テープ引き出し位置の間を往復する事ができる磁気記録再生装置であって、すべての前記テープ引き出し部材が、前記サブシャーシに搭載されていることを特徴とする磁気記録再生装置。
【請求項２】
サブシャーシが前記メインシャーシに対し相対的に位置が移動する動きにより、すべての前記テープ引き出し部材が駆動されテープが引き出されることを特徴とする請求項１記載の磁気記録再生装置。
【請求項３】
テープ引き出し部材の一部が、メインシャーシと係合しており、サブシャーシが前記メインシャーシに対し相対的に位置が移動する動きにより、前記テープ引き出し部材が駆動されテープが引き出されることを特徴とする請求項２記載の磁気記録再生装置。
【請求項４】
メインシャーシにテープ引き出し部材の一部と係合するカム部が存在し、サブシャーシが前記メインシャーシに対し相対的に移動する際に、前記テープ引き出し部材が前記カム部により規制されることによりテープが引き出されることを特徴とする請求項３記載の磁気記録再生装置。
【請求項５】
固定ガイド部をメインシャーシに備え、メインシャーシに弾性体が設けてあり、サブシャーシが前記テープ引き出し位置近傍に来た際、テープ引き出し部材の少なくとも一つの一部が前記弾性体に当接し、前記テープ引き出し部材を前記固定ガイド部に押圧し所定の位置に位置決めすることを特徴とする請求項４記載の磁気記録再生装置。
【発明の詳細な説明】
【０００１】
【発明の属する技術分野】
本発明は、磁気記録再生装置に関する物で、特にメインシャーシに対しサブシャーシを相対的に移動させる機構を備えた磁気記録再生装置に関する物である。
【０００２】
【従来の技術】
近年、磁気記録再生装置に於いて、さらなる小型化に加え、部品点数の削減、構成の簡素化が激化している。
【０００３】
以下に従来の磁気記録再生装置について説明する。
【０００４】
従来、一般的な磁気記録再生装置は特開平１１−３２８７７３号公報に記載されたものが知られている。その磁気記録再生装置のテープ引き出し手段は上記引用特許の図１８，１９、２４，２５，２６，２７に記載されている。６６はカムギアで、メインシャーシ８上に搭載されたモータ（図示せず）の駆動力により正逆方向に回転する。７３はボート駆動アームで、カムギア６６上に設けられた駆動ピン７５により駆動力を受け、回動中心７４周りに回動できる。またボート駆動アーム７３はその先端に設けられた歯車部７７で一体のＳロードギア７８，７９，８０と噛合しており、Ｓロードギアと一体に回動するＳロードアーム８１を回動させこの力によりＳボート３９を図１８の位置（カセット装着位置）から、図１９の位置（テープ引き出し位置）間で移動させ、その後メインシャーシ上の位置決めピン１４３に押圧位置決めする構成となっている。また、Ｓボート３９を位置決めピン１４３に押圧位置決めするために、上記引用特許明細書中に表記されているようにＳロードギア７９とＳロードアーム８１の間にねじりコイルバネ（図示せず）が装着されている。Ｔボート４７によるテープ引き出しは、Ｓロードギア７９とＴロードギア８４が噛合しており、Ｓロードギア７９の回動力によりＴロードギア８４が回動し、これによりＴロードアーム８６が回動し、Ｓ側と同様にテープが引き出されメインシャーシ上に有る位置決めピン１４２に押圧位置決めされる。
【０００５】
上記述べたテープ引き出し機構の力の流れを図１０に示す。モータから発生した力がカムギアで、二つに分かれ、片方は再びＳロードギアから二つに分かれもう方法は、サブシャーシから二つに分かれると言う流れをもち、非常に複雑である。
【０００６】
【特許文献１】
特開平１１−３２８７７３号公報
【０００７】
【発明が解決しようとする課題】
しかしながら上記の従来の構成では、カムギア６６の回動力を、ボート駆動アーム７３、Ｓロードギア７９、Ｔロードギア８４といくつもの部品を介しＳロードアーム８１、Ｔロードアーム８６に駆動力を伝えており、メカニズムのおおくの部品点数を必要としていた。また、力の流れも極めて複雑になり、それが故にいくつもの部品が必要になり、やはり部品点数の削減を阻害していた。また、カムギア６６の上下に何枚ものアームを設けているためメカニズムがあつくなり、またボート駆動アーム７３が回動する範囲が大きいためメカニズムの小型化を阻害する要因ともなっていた。軽量化、メカニズムの小型化を阻害する要因となっていた。
【０００８】
本発明は上記従来の問題点を解決するもので、テープ引き出し部材をすべてサブシャーシ上に乗せることにより、力の流れを単純に一本かし、且つテープ引き出し機構を極めて単純な構成とし、部品点数の削減、軽量化、小型化、そして高い性能を達成したメカニズムを搭載した磁気記録再生装置を提供することを目的とする。
【０００９】
【課題を解決するための手段】
テープカセット内から複数のテープ引き出し部材によりテープを引き出し、回転ヘッドを搭載するシリンダに巻回し前記テープを走行させる事により記録再生を行う磁気記録再生装置で、前記回転ヘッドシリンダが搭載されるメインシャーシと、前記メインシャーシ上にあり前記メインシャーシに対し相対的にスライド可能で前記テープカセットが装着されるサブシャーシがあって、
前記サブシャーシに前記テープカセットを装着しうる位置をテープ装着位置、前記テープカセットからテープを引き出し前記回転ヘッドシリンダに巻回し磁気記録再生を行う事のできる位置をテープ引き出し位置とし、前記サブシャーシは前記カセット装着位置と前記テープ引き出し位置の間を往復する事ができる磁気記録再生装置であって、複数の前記テープ引き出し部材がすべてサブシャーシ上に搭載されており、またサブシャーシがメインシャーシに対し移動することによりテープ引き出し部材を駆動しテープを引き出す構成にすることにより、テープ引き出し機構を極めて単純な構成とし、部品点数の削減、軽量化、小型化、そして高い性能を達成したメカニズムを搭載した磁気記録再生装置を提供することを目的とする。
【００１０】
【発明の実施の形態】
本発明の請求項１に記載の発明は、テープカセット内から複数のテープ引き出し部材によりテープを引き出し、回転ヘッドを搭載するシリンダに巻回し前記テープを走行させる事により記録再生を行う磁気記録再生装置で、前記回転ヘッドシリンダが搭載されるメインシャーシと、前記メインシャーシ上にあり前記メインシャーシに対し相対的にスライド可能で前記テープカセットが装着されるサブシャーシがあって、前記サブシャーシに前記テープカセットを装着しうる位置をテープ装着位置、前記テープカセットからテープを引き出し前記回転ヘッドシリンダに巻回し磁気記録再生を行う事のできる位置をテープ引き出し位置とし、前記サブシャーシは前記カセット装着位置と前記テープ引き出し位置の間を往復する事ができる磁気記録再生装置であって、すべての前記テープ引き出し部材が、前記サブシャーシに搭載されているものであり、テープ引き出し機構の構成を簡単にすることができるという作用を有する。
【００１１】
請求項２に記載の発明は、サブシャーシが前記メインシャーシに対し相対的に位置が移動する動きにより、すべての前記テープ引き出し部材が駆動されテープが引き出されるものであり、テープ引き出し機構の構成を簡単にすることができるという作用を有する。
【００１２】
請求項３に記載の発明は、テープ引き出し部材の一部が、メインシャーシと係合しており、サブシャーシが前記メインシャーシに対し相対的に位置が移動する動きにより、前記テープ引き出し部材が駆動されテープが引き出されるものであり、テープ引き出し機構の構成を簡単にすることができるという作用を有する。
【００１３】
請求項４に記載の発明は、メインシャーシにテープ引き出し部材の一部と係合するカム部が存在し、サブシャーシが前記メインシャーシに対し相対的に移動する際に、前記テープ引き出し部材が前記カム部により規制されることによりテープが引き出される物であり、テープ引き出し機構の構成を簡単にすることができるという作用を有する。
【００１４】
請求項５に記載の発明は、固定ガイド部をメインシャーシに備え、メインシャーシに弾性体が設けてあり、サブシャーシが前記テープ引き出し位置近傍に来た際、テープ引き出し部材の少なくとも一つの一部が前記弾性体に当接し、前記テープ引き出し部材を前記固定ガイド部に押圧し所定の位置に位置決めするものであり、簡単な機構でテープ引き出し部材を位置決め部材に付勢する事ができるという作用を有する。
【００１５】
以下、本発明の実施の形態について、図１から図９を用いて説明する。
【００１６】
（実施の形態１）
本発明の磁気記録再生装置は、シャーシがメインシャーシと、サブシャーシの２枚構成となっている。
【００１７】
最初に、サブシャーシの構成に付いて説明する。
【００１８】
図１は、本発明の磁気記録再生装置のサブシャーシの平面図であり、図１において、１はサブシャーシ、２，６，９，１０はテープ引き出し部材である。２はＴＲアームで、サブシャーシ１上の支点２ａ周りに回動自在に支持されている。２の一端の表方向にはＴＲポスト２ｂが、他端の裏方向にはＴＲアーム駆動ピン２ｃが設けてある。１０はＴ３アームで、サブシャーシ１上の支点１０ａ周りに回動自在に支持されている。１０の一端の表方向にはＴ３ポスト１０ｂが、他端の裏方向にはＴ３アーム駆動ピン１０ｃが設けてある。４はＳアームで、サブシャーシ１上の支点４ａ周りに回動自在に支持されている。４の一端の裏方向にはＳアーム駆動ピン４ｃが、他端の表方向にはＳリンクピン４ｂが設けてある。
【００１９】
Ｓリンクピン４ｂには、Ｓリンク５が回動自在に取り付けてあり、またＳリンク５の他端には、Ｓボート６がボス６ｂを介し回動自在に取り付けてある。７はＴアームで、Ｓアームと同様の構成である。Ｔアーム７は、サブシャーシ１上の支点７ａ周りに回動自在に支持され、一端の裏方向にはＴアーム駆動ピン７ｂが設けてある。８はＴリンクで、一端はＴリンクピン８ａを介しＴアーム７に対し回動自在に取り付けられてある。また、Ｔリンク８の他端には、Ｔボート９がボス９ｂを介し回動自在に取り付けてある。
【００２０】
Ｓボート６にはテープをガイドするＳローラポスト６ａが植立されてあり、Ｔボート９には、Ｔローラポスト９ａが植立されてある。
【００２１】
このように全てのテープ引き出し部材はサブシャーシ１の上に設けられてある。
【００２２】
１１はＳリール台、１２はＴリール台で、それぞれ軸１１ａ，１２ａ周りに回動自在に支持されている。Ｓリール台１１、Ｔリール台１２はカセット（図示せず）をサブシャーシに装着した際、カセットのリールハブと契合し、テープの巻き取りを行う物である。また、Ｓリール台１１の周囲にはテープ走行時のテープテンションを制御するためのブレーキバンド（ＴＲバンド）３が巻き付いてあり、ＴＲバンドの一端はＴＲアーム２の２ｄ部に回動自在に支持され、他端はサブシャーシ上の３ａに回動自在に支持されている。そして、テープ走行時にはＴＲアーム２に取り付けたＴＲバネ２ｅの力により、ＴＲバンド３を介しＳリール台１１に負荷トルクが働く構成となっている。
【００２３】
１ｂはサブシャーシ調整板で、溝穴１ａがもうけてあり、またサブシャーシ１にねじ（図示せず）により固定されている。
【００２４】
次に本発明の磁気記録再生装置のメインシャーシの構成について図２を用いて説明する。２１はメインシャーシで、４本のカム溝穴２１ａ，２１ｂ，２１ｃ，２１ｄが設けてある。２３は正逆回転可能なモータで、モータの回転力は、モータウォーム２３、連結ウォーム２４、そして、２４，２５のギアを介し、モードギア２７に伝えられる。モードギア２７は支点２７ａ周りに回動可能で上面に、サブシャーシ１（図１）と契合しサブシャーシを動かすサブシャーシ駆動ピン２７ｂが設けてある。２８はシリンダベースで３点２８ｃでメインシャーシにねじ止めされる。３つの２８ｄはシリンダ止めようねじ穴で、このシリンダベース上にシリンダ（図示せず）をのせ、裏面からこの穴を用いシリンダをねじ止めする。
【００２５】
また、２８ａ、２８ｂは、先に説明したサブシャーシ１上に搭載されたＳボート６、Ｔボート９がテープを引き出す際にガイドするガイド溝である。２９，３０は、弾性体であるねじりコイルバネで、所定の力でもって予圧を加えた状態でメインシャーシ２１上に固定されている。
【００２６】
本発明の磁気記録再生装置において、図１のサブシャーシ側を、図２のメインシャーシ側の上に積み重ねる。図３は、本発明の磁気記録再生装置の平面図であり、カセットを装着する状態の図である。サブシャーシ１は、メインシャーシ２１に対し矢印Ａ方向に摺動可能な状態でガイドされている。また、ＴＲアーム２のＴＲアーム駆動ピン２ｃは、メインシャーシ２１のカム溝２１ａに摺動可能に契合し、Ｔ３アーム１０のＴ３アーム駆動ピン１０ｃはカム溝２１ｃに、Ｓアーム４のＳアーム駆動ピン４ｃはカム溝２１ｂに、そしてＴアーム７のＴアーム駆動ピン７ｂは、カム溝２１ｄに摺動可能に契合している。
【００２７】
また、メインシャーシ２１にあるモードギア２７上のサブシャーシ駆動ピン２７ｂは、サブシャーシ調整板１ｂ（図示せず）の溝穴１ａに摺動可能に契合している。
【００２８】
以上のように構成された磁気記録再生装置について、図３を用いてその動作を説明する。
【００２９】
図３はカセット装着位置の平面図で、各テープ引き出し部材の引き出しポスト２ｂ，６ａ，９ａ，１０ｂは全てテープ３１ａの手前、カセット開講部の中にある。この状態から、モータ２３が回転すると、モードギア２７が矢印Ｂ方向に回転すると、サブシャーシ駆動ピン２７ｂも矢印Ｂ方向に回転し、このサブシャーシ駆動ピン２７ｂがサブシャーシ調整板の溝穴１ａを駆動し、サブシャーシが矢印Ａ方向に移動する。
【００３０】
ここで図４を用いてサブシャーシ１がモードギア２７により駆動される動作について説明する。ここでは、サブシャーシ１に固定されているサブシャーシ調整板１ｂの動作を持ってこれを説明する。
【００３１】
図６において、（１）はカセット取り出し位置の状態で、図３と同じ位置の図である。（１）においてサブシャーシ調整板１ｂの溝穴１ａの構成について説明する。溝穴１ａは、円弧部“あ”とこれに連続する円弧部“い”と直線部“う”からなる。円弧部“あ”と“い”は、図に見るように反対の方向に凸形状をしている。（２）の状態は、カセットを挿入位置である。（１）と（２）において、サブシャーシ駆動ピン２７ｂは、円弧部“あ”の間を進み２７ｂ２の位置にくる。円弧部“あ”は、モードギア２７の回転中心２７ａを中心とする円弧形状であり、サブシャーシ駆動ピン２７ｂの回転円弧と同芯円をしている。そのため、サブシャーシ調整板１ｂは矢印Ａ方向へ移動しないこととなる。これは、カセット取り出し位置と、カセット挿入位置の間では、サブシャーシは停止している必要があり、この間では移動していないことを示している。
【００３２】
次にさらにモードギア２７が矢印Ｂ方向に回転すると、サブシャーシ駆動ピンは、２７Ｂ３の位置に至り、円弧部“い”に入ってくる（（３）参照）。
【００３３】
円弧部“い”はこの位置にては、モードギア２７と同芯円をしていないため、サブシャーシ調整板１ｂは、サブシャーシ駆動ピン２７ｂ３に押されて矢印Ａ方向に移動している。これは、サブシャーシ（図示せず）が同様に矢印Ａ方向に移動していることを示す。さらにモードギア２７が矢印Ｂ方向に回転すると、（４）に示すようにサブシャーシ駆動ピンは２７ｂ４に至り、溝穴１ａの直線部“う”と係合しており、サブシャーシは、矢印Ａ方向に移動を続けている。そしてさらにモードギア２７が矢印Ｂ方向に回転を続けると（５）に示すようにサブシャーシ駆動ピンは２７ｂ５に至り、再び円弧部“い”に入ってくる。（５）の状態に於いては、溝穴“い”部は、サブシャーシ駆動ピン２７ｂ５の回転円弧と同芯円をしている。従って、サブシャーシ調整板１ｂは矢印Ａ方向へ移動せず停止する。
【００３４】
この状態は、後に図６にて説明するが、テープカセット内よりテープが引き出された位置にサブシャーシが来た状態でストップ状態という位置である。従って、これ以上サブシャーシは移動できない。一方、モードギアは、これ以降もテープを走行させる位置（プレイモード）を形成するためにさらにＢ方向に回転する。
【００３５】
しかし、先に述べてように、サブシャーシ駆動ピン２７ｂ５は、円弧部“い”に有るためサブシャーシ調整板１ｂは矢印方向に移動せず、（６）の状態、つまりプレイ位置に至る。また、モードギア２７が矢印Ｂ方向と逆方向に回転した場合、これらとは逆方向の動きで、サブシャーシ調整板は矢印Ａ方向とは逆方向に移動する。
【００３６】
このように、単純に回転運動するモードギア２７に直接サブシャーシ駆動ピン２７を植立させても、サブシャーシ側の溝穴１ａの形状を工夫する事により、所定の区間サブシャーシを停止させ、また移動させることができる。さらに、本発明の溝穴１ａの溝幅は、サブシャーシ駆動ピン２７ｂの直径と略略同じでよいため、ここに余計な隙間を設けることなく、安定してサブシャーシを駆動することができる。
【００３７】
以上サブシャーシの駆動方法を説明した。
【００３８】
次に図３から図５、図６とサブシャーシ１が移動し、テープが引き出される動作を説明する。
【００３９】
図５は図３からサブシャーシが矢印Ａ方向に５ｍｍ進んだ状態である。本図において、サブシャーシ駆動ピン２７ｂとサブシャーシ調整板の溝穴１ａの位置関係は、先に図４にて説明した様に、モードギア２７が矢印Ｂ方向に回転し（３）テープ引き出し途中１の位置に来た状態である。図５においては、前述したように各引き出し部材２，４，７，１０の各々の駆動ピン２ｃ、４ｃ、７ｂ、１０ｃが、メインシャーシ２１のカム溝２ａ、２１ｂ、２１ｃ、２１ｄと各々契合しており、これに規制されて各々矢印Ｃ，Ｄ，Ｅ，Ｆ方向に回転し、本図の状態まで引き出されている。テープ引き出し部材であるＳボート６，Ｔボート９は、シリンダベース２８のガイド溝２８ａ，２８ｂにガイドされ図５の位置まで引き出されている。そしてこの結果、テープは３１ｂの状態まで引き出されている。
【００４０】
さらに、モードギア２７が矢印Ｂ方向に回転し、サブシャーシ１がさらに矢印Ａ方向に移動し、テープ３１ｂがシリンダに巻回し磁気記録再生ができる状態まで来た位置が図６である。図６の状態は、サブシャーシ駆動ピン２７ｂと溝穴１ａの位置関係は、図４の（５）ストップ状態に来た状態である。従って図６よりさらにモードギア２７が矢印Ｂ方向に回転し、ピンチローラ（図示せず）がキャプスタン軸３３にテープを押圧し、キャプスタン軸３３が回転してーう３１Ｃを駆動する状態（プレイモード）に行こうしても、サブシャーシ１は矢印Ａ方向に移動せずこの位置を保つことができる。
【００４１】
また、図６の状態において、テープ引き出し部材である。Ｓボート６、図２にして示したねじりコイルバネ２９（図６には図示せず）によりＳアーム４、Ｓリンク５を介し位置決め部２８ｃに押圧され位置決めされている。同様にＴボート９は、ねじりコイルバネ３０（図６には図示せず）により、Ｔアーム９，Ｔリンク８を介し位置決め部２８ｄに押圧され位置決めされている。
【００４２】
この押圧位置決め機構を、図７，図８にて説明する。
【００４３】
図７は、図６の要部を抜き出した図である。
【００４４】
図７において、Ｓボート６の押圧位置決め方法について説明する。
【００４５】
サブシャーシ１上のＳアーム４は、Ｓアーム駆動ピン４ｃがメインシャーシ２１上のカム溝２１ｂにガイドされながら図７の状態に至る。この状態において、ＳＳアーム駆動ピン４Ｃはメインシャーシ２１上に装着されている弾性体であるねじりコイルバネ２９に当接したわませるように構成されている。従ってＳアーム７は、ねじりコイルバネ２９の力により回転中心２９ａ周りにＤ方向に回転力を受ける。この力により、Ｓリンクは矢印Ｄ１方向に、Ｓボート６は矢印Ｄ２方向に押圧され、シリンダベース２８上に存在する位置決め部２８Ｃに押圧位置決めされテープの引き出しが完了する。同様に、Ｔボート９も、弾性体であるねじりコイルバネ３０によりＴアーム７は、ねじりコイルバネ３０の力により回転中心３０ａ周りにＥ方向に回転力を受ける。この力により、Ｔリンクは矢印Ｅ１方向に、Ｔボート９は矢印Ｅ２方向に押圧され、シリンダベース２８上に存在する位置決め部２８ｄに押圧位置決めされテープの引き出しが完了する。このようにＳボート６、Ｔボート９の押圧機構としては、メインシャーシ２１に弾性体であるねじりコイルバネを固定しておくだけでよく極めて単純な構成で各ボートの位置決め機構が構成されて、部品点数の削減、省スペース化、品質の向上に貢献している。
【００４６】
次に、Ｓボート６の位置決め機構について、図８を用いて説明する。
【００４７】
図８は、Ｓボート位置決め機構の上面図（１）、側面図（２）、裏面図（３）で、各要素を模式的に描いた図である。図８において、弾性体であるねじりコイルバネ２９によりＳアームはＡ方向に付勢され、これによりボート６はボス６ｂをシリンダベースのガイド溝部２８ａより下部をＳリンク５により押圧される。（（２）参照）。また、Ｓボート６の下部前方には平面方向から見て反円弧状の突起部６ｄが一体に設けてあり、またシリンダベースのシリンダ近傍（図示せず）の裏面には、その法線がＳボート６の進行方向Ｂとは逆方向で且つ下向きの矢印Ｃ方向を向くような斜面が設けてある。
【００４８】
次に、図８をもちいてＳボートの押圧決め機構の動作について説明する。
【００４９】
Ｓリンク５により下部を押圧されたＳボートは、その先端部の突起６ｄがシリンダベース２８の斜面２８ｃに押圧される。これによりＳボート全体は矢印Ｂ方向に押圧されると同時に、矢印Ｃそして、Ｓボート６の下方をＢ方向に押圧されるため矢印Ｄ方向の力も受け、結果として、Ｓボート６下面６ｃ（３点）はシリンダベース上面２８ｄに沿うこととなる。シリンダベース上面２８ｄ、およびＳボート下面は制度よく形成されており、これらが当節する事により、Ｓボート６は精度よくシリンダベース２８位置決めされることとなる。このように、Ｓボート６の一部に一体に突起６ｄを設け、シリンダベース２８側には一体に斜面を設けるという単純な構成により、精度よくテープ引き出し部材であるＳボート６を位置決めすることができる。Ｓボート６の上には、テープ走行上、メインシャーシに対する傾き制度が極めて重要であるテープガイドポストである、Ｓ１ポスト６ａが植立されてあり、本発明において、極めて簡単な構成で、重要ポストを精度よく位置決めでき、メカニズムの部品点数の削減、小型化のみならず、性能の向上にも貢献する事ができる。
【００５０】
そして、図９に示すように、モータからの駆動力の流れをサブシャーシまで一本化し、サブシャーシを移動させることにより各テープ引き出し部材を動かすと言う極めてシンプルな力の流れを実現した。
【００５１】
以上のように本実施の形態によれば、サブシャーシ１上に、すべてのテープ引き出し部材２，６，９，１０を設け、サブシャーシがメインシャーシに対し移動する事によりテープ引き出し部材が駆動される構成にすることにより、力の流れを一本化し構成を簡略化する事により、テープ引き出し機構をきわめて単純な構成とすることができ、部品点数の削減、コストダウン、そして軽量化、されには、図２に示すようにメインシャーシの下部が異形をしているが、機構部品の点数が減少した結果メインシャーシに余分なスペースが発生し、その部分をカットする事が可能となった結果であり、メカニズムの小型化も達成する事ができる。
【００５２】
なお、以上の説明では、弾性体に２９，３０のねじりコイルバネを用いたが、板バネ、樹脂バネ等弾性体であれば同様の効果が得られることは自明である。
【００５３】
また、本発明に実施形態に於いては、メインシャーシに４つの穴状カム溝を形成したが、これは、逆に突起上の壁を設けても同様の効果が得られる。
【００５４】
【発明の効果】
以上のように本発明は、メインシャーシと、サブシャーシがある磁気記録再生装置において、サブシャーシ１上にすべてのテープ引き出し部材２，６，９，１０を設け、サブシャーシがメインシャーシに対し移動する事によりテープ引き出し部材が駆動される構成にすることにより、テープ引き出し機構をきわめて単純な構成とすることができ、部品点数を削減し、メカニズムの軽量化、メカニズムの省部品点数化が可能となり、さらに構造を単純化する事により品質の安定化、そしてメカニズムの小型化を達成することができるという優れた効果が得られる。
【図面の簡単な説明】
【図１】本発明の実施の形態における磁気記録再生装置のサブシャーシの平面図
【図２】本発明の実施の形態における磁気記録再生装置のメインシャーシ平面図
【図３】本発明の実施の形態における磁気記録再生装置のメカニズムの平面図（テープ装着位置）
【図４】本発明の実施の形態におけるサブシャーシの駆動メカニズムの平面図
【図５】本発明の実施の形態における磁気記録再生装置のメカニズムの平面図（テープ引き出し途中）
【図６】本発明の実施の形態における磁気記録再生装置のメカニズムの平面図（テープ引き出し完了位置）
【図７】本発明の実施形態におけるテープ引き出し部材の押圧部構成の平面図
【図８】本発明の実施形態におけるテープ引き出し部材の位置決め方法詳細を示す平面図及び側面図
【図９】本発明の実施例おけるテープ引き出し力の、力の流れ図
【図１０】従来の磁気記録再生装置おけるテープ引き出し力の、力の流れ図
【符号の説明】
１  サブシャーシ
２  ＴＲアーム（テープ引き出し部材）
６  Ｓボート（テープ引き出し部材）
９  Ｔボート（テープ引き出し部材）
１０  Ｔ３アーム（テープ引き出し部材）
２１メインシャーシ
２１ａ〜２１ｄ  カム溝
３１  テープカセット
３２  回転ヘッドシリンダ
２８  シリンダベース
２９、３０  ねじりコイルばね（弾性体）
【図１】
2004288235.tif 000003
【図２】
2004288235.tif 000004
【図３】
2004288235.tif 000005
【図４】
2004288235.tif 000006
【図５】
2004288235.tif 000007
【図６】
2004288235.tif 000008
【図７】
2004288235.tif 000009
【図８】
2004288235.tif 000010
【図９】
2004288235.tif 000011
【図１０】
2004288235.tif 000012